(57)【要約】【課題】電源を不要とし、メンテナンスフリーとするとともに、モジュール化を図ることを可能とした。【解決手段】飲料用の瓶、缶、カップなどを収容する筐体１に開閉する蓋部２を取り付け、この蓋部２の開閉運動を伝達機構３を介して発電機４に伝えて発電させ、この発電機４により発電された電気をコンデンサ又は電池等の蓄電手段１４に充電し、この蓄電手段１４から電流をＬＥＤ１５に流して点灯させるようにした【選択図】図１
2007196848.tif 000002
【特許請求の範囲】
【請求項１】
飲料用の瓶、缶、カップなどを収容する筐体に開閉する蓋部を取り付け、
この蓋部の開閉運動を伝達機構を介して発電機に伝えて発電させ、
この発電機により発電された電気をコンデンサ又は電池等の蓄電手段に充電し、
この蓄電手段から電流をＬＥＤに流して点灯させるようにしたことを特徴とする車両用カップホルダー。
【請求項２】
前記コンデンサ又は電池等の蓄電手段とＬＥＤとの間にスイッチ手段を設けたことを特徴とする請求項１に記載の車両用カップホルダー。
【請求項３】
前記伝達機構としては、複数のギアを組み合わせたものを用いたことを特徴とする請求項１又は２に記載の車両用カップホルダー。
【発明の詳細な説明】
【技術分野】
【０００１】
本発明は、発光ダイオード（ＬＥＤ）などの光源を備えた車両用カップホルダーに関するものである。
【背景技術】
【０００２】
従来、夜間に車を運転中に缶やカップを置いたり、取ったりすることを容易にし、安全運転を行えるようにしたものとしては、缶やカップを収容する筒状のホルダーの底に車用のシガーライターの電源用差込みが設けられた電球を設けたものが知られている(特許文献１参照)。
【０００３】
シガーライターを電源としたとき、コードが邪魔になり、かつ常時点灯させるとバッテリーの消耗を生じる。
【０００４】
そこで、夜間などの周囲が暗い環境下においても、その存在をアピールすることができ、車載のバッテリーを消耗させることなく、かつ電池交換などの手間を不要とし、メンテナンスフリーで使用することができる光源付の車両用カップホルダーが開発された（特許文献２参照）。これは、飲料用の瓶や缶などの物品を収納保持する凹部が形成された筐体に太陽電池および同太陽電池により充電される電気二重層コンデンサからなる電源部と、同電源部から供給される電流を所定時間ごとにオンオフする発振部と、同発振部を介して出力される電流にて点滅する光源（ＬＥＤ）とを設けるとともに、筐体の前面部にレンズ効果を有する弓形の化粧モールを取り付け、その両端に上記ＬＥＤをそれぞれ配置したものである。
【特許文献１】実開平６−６８９７４号公報（第２頁、図１）
【特許文献２】実用新案登録第３０１１５９８号公報（第２頁、図１）
【発明の開示】
【発明が解決しようとする課題】
【０００５】
特許文献２に記載されたものでも、太陽電池と電気二重層コンデンサを電源とするものであり、電源を不要としたものではないので、完全なメンテナンスフリーとはいえないものであった。例えば、長時間太陽電池に光が当らない場合には、光源が点灯しないおそれもあった。
【０００６】
そこで、本発明は、車載のバッテリーとか太陽電池などの電源を不要とし、完全なメンテナンスフリーを実現した光源付きの車両用カップホルダーを提供することを目的とする。
【課題を解決するための手段】
【０００７】
上述の目的を達成するため、本発明は、飲料用の瓶、缶、カップなどを収容する筐体に開閉する蓋部を取り付け、この蓋部の開閉運動を伝達機構を介して発電機に伝えて発電させ、この発電機により発電された電気をコンデンサ又は電池等の蓄電手段に充電し、この蓄電手段から電流をＬＥＤに流して点灯させるようにしたものである。
【発明の効果】
【０００８】
本発明によれば、飲料用の瓶、缶、カップなどを収容する筐体に開閉する蓋部を取り付け、この蓋部の開閉運動を伝達機構を介して発電機に伝えて発電させ、この発電機により発電された電気をコンデンサ等に充電し、このコンデンサ等から電流をＬＥＤに流して点灯させるようにしたので、車載のバッテリーや太陽電池が不要となり、完全なメンテナンスフリーを実現できるのみならず、全体をモジュール化することにより、車両への取り付けも容易に行える。
【発明を実施するための最良の形態】
【０００９】
以下に、本発明の好適な実施形態を図面を参照にして説明する。
【００１０】
図１は、飲料用の瓶、缶、カップなどを収容する筐体１に開閉する蓋部２を取り付け、この蓋部２の開閉運動を伝達機構３を介して発電機４に伝えて発電させるようになっている。この例では、蓋部２はヒンジ２Ａの個所を中心にして回動動作をし、蓋部２の側面２Ｂに蓋部２の回動（開閉運動）に伴って一緒に回動する入力用ギア５の一端を取り付けてある。この入力用ギア５は、伝達機構３の一部を構成するものであり、円弧状の本体部５Ａの表面にギア５Ｂを刻設してあり、この本体部５Ａの中間部からアーム５Ｃを形成し、このアーム５Ｃの先端を前記筐体１に回動可能に取り付けてある。したがって、蓋部２を上方に持ち上げるように開くと、この蓋部２の回動動作に伴って入力用ギア５のアーム５Ｃの先端を回動支点５Ｄとして本体部５Ａの下端側を押し下げる方向に回動させる。この入力用ギア５のギア５Ｂに最初の伝達用ギア６が噛み合い、このギア６の回転力は伝達用ギア７〜１２に次々伝達され、発電機４の出力軸１３に伝達される。発電機４で発電された電気は、コンデンサや電池等の蓄電手段１４に充電される。そして、この蓄電手段１４からワイヤＷを介してＬＥＤ１５に適宜電流を流して点灯させる。
【００１１】
上述した実施形態では、蓋部２を回動式としたが、スライド式とすることもでき、スライド（開閉運動）をラックアンドピニオンなどにより伝達機構３に伝えて発電機４を発電させることもできる。
【００１２】
図２は、電気的な回路構成の一例を示し、発電機４とこれと並列に接続されて充電される蓄電手段１４で電力供給部Ａを構成し、蓄電手段１４を発電機４からの過電圧から保護するためツェナーダイオード１６を発電機４と並列に接続し、発電機４から蓄電手段１４に至る充電回路には逆電流阻止用のダイオード１７を設けてある。また、発振部Ｃを設けてあり、前記電力供給部Ａとこの発振部Ｃとの間には、スイッチ手段Ｂを設けてある。スイッチ手段Ｂは、手動の切替スイッチ１８を用いて、任意にオン、オフできるようになっている。発振部Ｃは、ＬＥＤ１５を２個使用することを想定し、２つの出力端子ＯＵＴ１、ＯＵＴ２を備えた発振回路１９を有し、ＯＵＴ１，２に２個のＬＥＤ１５をそれぞれ接続してある。また、この発振回路１９の入力側に電流制限用の抵抗２０と、電解コンデンサ２１を接続してある。なお、出力端子は、ＬＥＤ１５の設定個数に応じて増やせばよい。
【００１３】
前記発電機４を蓋部２の開閉運動により発電させる発電装置としては、図１に示す実施形態の他に、図３に示すような実施形態も採用可能である。すなわち、入力用ギア５を蓋部２のスライド動作に追従するものとし、この直線状の入力用ギア５のギア（ラック）５Ｂに噛み合う伝達用ギア６が回転し、この伝達用ギア６には伝達部２２を介して発電機（アクチュエータ）４の出力軸１３が取り付けてある。この出力軸１３の回動により発電機４が発電する。この発電機４に図２に示すような回路を接続する。
【図面の簡単な説明】
【００１４】
【図１】本発明の実施形態を示す要部の斜視図。
【図２】回路構成部。
【図３】発電装置の他の例を示す図。
【符号の説明】
【００１５】
１    筐体
２    蓋部
３    伝達機構
４    発電機
１４  蓄電手段
１５  ＬＥＤ
【図１】
2007196848.tif 000003
【図２】
2007196848.tif 000004
【図３】
2007196848.tif 000005